(57)【特許請求の範囲】
【請求項１】
上面より上方付勢状態で押込み可能に突設したステム６を押し込むことにより収納液をステム６上端より噴出する如く構成した噴出機構を備えてなる容器体２と、ステム６上端に嵌着した上面に足踏面ａを有する盤状をなすとともに、上記足踏面ａに開口し且つステム６内と液流路ｂを介して連通する噴出口７を備えてなる噴出ヘッド３と、容器体２上端の口部11上に下端を当接する係止筒32及び口部11外周に上方への抜け出しを防止して嵌合させた係合部33をドーナツ板状の頂板34内周縁部裏面より垂設するとともに、頂板34外周縁部より垂設した周壁37の下端を容器体上面周縁部に当接係止させ、且つ、上面周縁部より筒部35を立設した台部材４と、筒部35外周に抜け出しを防止して嵌合させた固定筒40の上端縁一部に下端縁一部を回動可能に連結することにより、噴出ヘッド３を被覆して開閉可能に台部材４周縁部に連結したキャップ5aとを備え、該キャップ5a上面に足裏押圧用の突部８を設けてなることを特徴とする足踏み式塗布容器。
【発明の詳細な説明】
【０００１】
【発明の属する技術分野】
本発明は足踏み式塗布容器に関する。
【０００２】
【従来の技術】
足の疲労回復や消臭或いは傷跡の消毒等を目的として、足に消臭剤や疲労回復剤、或いは消毒剤などを塗布することが行われている。これらの塗布に際して使用される塗布用容器として、例えば、一般的なエアゾール容器が使用されており、筒状の胴部上端より上方付勢状態で押込み可能なステムを突設した容器体と、前記ステムに嵌着した噴出ヘッドとからなるものが知られている。
【０００３】
従来のこの種の容器は、容器体胴部を手にもって足の該当箇所に液を噴出するため、体を屈折する等の不都合な状態で塗布することが多く、使い勝手が悪い。
【０００４】
この様な点を考慮して足を乗せて液を噴出する足踏み式吐出容器も提案されている。これらは容器体に押し下げ可能に台を設け、該台上に足を乗せて押し込むことにより台上面に開口した噴出口より液が噴出する如く構成したもので、上記した不都合を解消できるものである。
【０００５】
【発明が解決しようとする課題】
しかしながら、足の消毒や消臭には、液材の塗布のみで充分であるが、足の疲労回復を行う場合には、ツボが多く存在するといわれる足の裏を刺激するとより効果的である。
【０００６】
本発明は上記した点に鑑みなされたもので、足の裏への液剤の塗布が容易に行えるとともに、足の裏を満遍なく安定した状態で刺激することができ、更に、足の裏のマッサージを単独で行うこともできる足踏み式塗布容器を提案する。
【０００７】
【課題を解決するための手段】
第１の手段として、以下の通り構成した。即ち、上面より上方付勢状態で押込み可能に突設したステム６を押し込むことにより収納液をステム６上端より噴出する如く構成した噴出機構を備えてなる容器体２と、ステム６上端に嵌着した上面に足踏面ａを有する盤状をなすとともに、上記足踏面ａに開口し且つステム６内と液流路ｂを介して連通する噴出口７を備えてなる噴出ヘッド３と、上記容器体上に噴出ヘッド３の押し下げが可能に嵌着固定させた台部材４と、上記噴出ヘッド３を被覆して台部材４に着脱可能に嵌着させたキャップ５とを備え、該キャップ５上面に足裏押圧用の突部８を設けた。
【０００８】
第２の手段として、以下の通り構成した。即ち、前記第１の手段に於いて、上記台部材４が、容器体２上端の口部11上に下端を当接する係止筒32及び口部11外周に上方への抜け出しを防止して嵌合させた係合部33をドーナツ板状の頂板34内周縁部裏面より垂設するとともに、頂板34外周縁部より垂設した周壁37の下端を容器体上面周縁部に当接係止させ、且つ、上面周縁部より筒部35を立設してなり、上記キャップ５が、筒部35外周に着脱可能に嵌合させた周壁38上端縁より延設した頂壁39上に上記突部８を突設した。こうすることで、キャップ５を支持する台部材４が容器体２に対してしっかりと固定され、その結果キャップ５自体も安定的に維持されるため、足裏のマッサージを行う際にがたつき等が生じる虞がなく、安心してマッサージすることができる。
【０００９】
第３の手段に於いて、以下の通り構成した。即ち、前記第１の手段に於いて、上記キャップ５に代えて、上記噴出ヘッド３を被覆して開閉可能に台部材４周縁部に連結したキャップ5aを設けてた。こうすることで、液の噴出塗布に当たりキャップ5aの置き場にこまることがなく、また、その紛失の虞がなく、使用後はすぐに噴出ヘッド３を覆っておくことができるため、誇りの付着も極力防止できる利点を兼ね備える。
【００１０】
第４の手段として、以下の通り構成した。即ち、前記第３の手段に於いて、上記台部材４が、容器体２上端の口部11上に下端を当接する係止筒32及び口部11外周に上方への抜け出しを防止して嵌合させた係合部33をドーナツ板状の頂板34内周縁部裏面より垂設するとともに、頂板34外周縁部より垂設した周壁37の下端を容器体上面周縁部に当接係止させ、且つ、上面周縁部より筒部35を立設してなり、上記キャップ5aが、筒部35外周に抜け出しを防止して嵌合させた固定筒40の上端縁一部に下端縁一部を回動可能に連結することにより、噴出ヘッド３を被覆して開閉可能に台部材４周縁部に連結してなる。
【００１１】
【発明の実施の形態】
以下、本発明の実施の形態を図面を参照して説明する。
【００１２】
本発明の足踏み式塗布容器１は、容器体２と、噴出ヘッド３と、台部材４と、キャップ５とを備えている。
【００１３】
容器体２は収納液の噴出機構を備え、上面より上方付勢状態で押込み可能にステム６を突設したもので、合成樹脂や金属等により形成される。また、足を乗せることを考慮して、それに耐え得るに充分な強度を得るための肉厚，材質，座高，設置面積等を選択して形成する。
【００１４】
容器体２に備えた噴出機構は、ステム６の押込みにより収納液をステム６上端より噴出する如く構成したもので、ポンプ形態のものやエアゾールを利用した公知の噴出機構が採用できる。
【００１５】
噴出機構としてのポンプの一例を図示せずに説明すると、容器体内に垂下したシリンダ内周に摺動可能に嵌合させた環状ピストンをステムの下部外周より突設し、ステムの上部をシリンダ上端より突出する。また、ステムをコイルスプリング等により常時上方へ付勢させる。更に、シリンダ内下部には吸込弁を設けるとともに、ステム内には吐出弁を設け、ステムの上下動により容器体内の液を吸い上げてステム上端開口より噴出する如く構成した公知機構のものが採用できる。
【００１６】
また、エアゾールタイプの場合には、例えば、容器体２内に押し下げ開弁式の吐出弁を内蔵し、ステム６の押下げにより吐出弁が開弁する如く構成している。また、開弁の際に収納ガスのガス圧により収納液を噴出する如く構成した公知機構のものが採用できる。
【００１７】
噴出ヘッド３は、ステム６の上端に嵌着して上面に足踏面ａを有する盤状をなすとともに、前記足踏面ａに開口し且つステム６内と液流路ｂを介して連通する噴出口７を備えている。噴出口７の数は一箇所であっても複数箇所であっても適宜選択することができるが、足裏全体に均一に液の塗布を行う目的で、図示例の如く複数箇所分散して設けると良い。
【００１８】
台部材４は、容器体上の周縁部に、噴出ヘッド３の押下げが可能に嵌着固定させている。この台部材４は、図１に示す如く、キャップ５を着脱自在に嵌着したり、図11や図14にに示す如く、キャップ5aを回動可能に連結したりすることを主目的として設けたもので、合成樹脂等により形成することができる。
【００１９】
キャップ５は合成樹脂等により形成されたもので、噴出ヘッド３を被覆して台部材４に着脱可能に嵌着させている。また、その上面に足裏押圧用の突部８を設けている。この突部８の存在で、液の噴出前或いは噴出後に、足裏を押圧刺激してマッサージを行うことができる。突部８の形態は図示例の如き球状のものに限らず種々採用でき、また、その配置も図示例のものに限られず複数設けると良い。
【００２０】
図１は本発明容器の一例を示し、比較的座高の低い筒状の胴部９を備えた容器体２を使用しており、筒状の胴部９上端より肩部10を介して口部11を起立し、口部11の上端開口を蓋板12により閉塞している。蓋板12は、その中央より押込み可能にステム６を突出させ、また、周縁部を口部11の上面にカシメて連結固定している。
【００２１】
噴出ヘッド３は合成樹脂等により形成されたもので、底板部材13と、蓋板部材14と、足踏面形成部材15とで構成している。底板部材13は、図３及び図４に示す如く、ステム６外周に液密に嵌着させる装着筒16を円板状の底板17裏面中央より垂設するとともに、底板17には所定位置に複数の下端を開口した筒状をなす第一膨出部18を立設している。第一膨出部18は中央に一箇所と周縁部に六箇所設けており、中央部の第一膨出部18は装着筒16内と内部を連通し、且つ、両側に縦帯状に連通窓ｃを穿設している。更に、中央の第一膨出部18の周囲の底板17上面に凹部19を凹設し、該凹部19から周縁部の各第一膨出部18に至り、更に各第一膨出部18外面上端に至る液流路形成用の凹溝20を放射状にそれぞれ設けている。また、底板17の上面の外周縁部には短いシール筒21を立設し、更に、底板17外周縁部より上下に嵌合筒22を延設している。
【００２２】
蓋板部材14は、図５及び図６に示す如く、周縁部を前記嵌合筒22内周に嵌合させる円板状の蓋板部23を備え、該蓋板部23の所定位置に底板部材13の各第一膨出部18にそれそれ嵌合する下端を開口した筒状の第二膨出部24を突設している。各第二膨出部24の頂壁部中央には噴出口７を開口している。また、蓋板部23下面外周縁部に底板部材13のシール筒21が密嵌するシール溝25を凹設している。そして、各第二膨出部24を各第一膨出部18に嵌着させるとともに、シール溝25にシール筒21を密嵌させて底板部材13に嵌着させ、装着筒16内より各噴出口７に至る複数の液流路ｂを形成する。
【００２３】
足踏面形成部材15は、図７及び図８に示す如く、頂壁26の所定位置に蓋板部材14の第二膨出部24を臨ませる複数の透孔27及び各透孔縁部より垂設して第二膨出部24外周に嵌合させる首筒28を備えており、また、頂壁26周縁部より周壁29を垂下し、周壁29下面より周方向複数突設した突片30垂設している。更に、周壁29内側に内周壁31を垂設している。そして、各首筒28を蓋板部材14の第二膨出部24にそれぞれ嵌合させるとともに、内周壁31を底板部材13の嵌合筒22下端部より外方へ突設したフランジ外面に、上方への抜け出しを防止して嵌合させて底板部材13及び蓋板部材14と一体化し、噴出ヘッド３を構成している。この様に構成した噴出ヘッド３の装着筒16をステム６に嵌着し、各突片30を台部材４の後述する挿通孔に抜け出しを防止して押下げを可能に挿通して容器体２に噴出ヘッド３を装着している。
【００２４】
台部材４は、図９及び図10に示す如く、容器体２の口部11上に下端を当接する係止筒32及び口部11外周に上方の抜け出しを防止して嵌合させる係合部33をドーナツ板状の頂板34内周縁部裏面より垂設するとともに、係合部33内周下端部に係合突条50を設けている。更に、頂板34の上面周縁部にはキャップ５を嵌合させるための筒部35を立設している。また、頂板34には、上記噴出ヘッド３から垂下した各突片30を挿通させるための挿通孔36を周方向複数穿設している。図示例では、各挿通孔36を筒部35の内側に、筒部35に沿って円弧状に穿設している。
【００２５】
尚、本実施例では係合部33を周方向多数環状に配置した係合片により構成しているが、この係合部33は筒状であっても良い。係合片の場合には取り外しが容易で収納液を使い切った際の容器体の交換を容易に行える。
【００２６】
そして、係止筒32下端を容器体２の口部11上に当接係止させるとともに、各係合部33を容器体２の口部11外面に嵌合させ、その係合突条50を口部11外周に設けた下向き段部51に係合させて上方への抜け出しを防止し、更に、頂板34外周縁より垂設した周壁37の下端を容器体２の上面周縁部に当接係止させて容器体２に装着している。
【００２７】
キャップ５は台部材４の筒部35外周に嵌合させた周壁38の上端縁より頂壁39を延設し、頂壁39上面に複数の突部８を突設して構成している。
【００２８】
この様に構成した足踏み式塗布容器１は、足の指に液を塗布したい場合には、キャップ５を外し、足踏面ａに載置した足を押し下げることによりステム６を押し下げ、噴出口７より液を噴出塗布する。また、足裏のマッサージを行いたい場合には、キャップ５を装着し、各突部８上に足を載置して行うことができる。
【００２９】
図11乃至図13と、図14とは、図１の実施例に於いて、キャップ５に代えてキャップ5aを採用した例を示す。キャップ5aは、噴出ヘッド３を被覆して開閉可能に台部材４周縁部に連結したものである。
【００３０】
図11乃至図13に於けるキャップ5aは、図12に示す如く、台部材４に抜け出しを防止して嵌着させる上下端開口の固定筒40上端縁一部に下端縁一部を回動可能に連結することにより、噴出ヘッド３を被覆して開閉可能に台部材周縁部に連結している。更に具体的にいえば、固定筒40内周には係合突条41を突設して前記筒部35外周に突設した係合突条42に係合可能に構成し、また、固定筒40上端一部に薄肉ヒンジ43を介してキャップ周壁38の下端一部を連結しており、更に薄肉ヒンジ43の両側に於いて一対の弾性連結片44で連結し、固定筒40に対して弾性反転可能にキャップ5aを連結している。この場合には、足裏への液の塗布を行いたい場合にはキャップ5aを開いた状態で上記実施例と同様に行うことができ、蓋体を紛失する等の不都合を防止できるものである。その他の構成は図１の実施例と同様である。
【００３１】
図14に於けるキャップ5aは、図１の実施例に於いて、台部材４の筒部35に開閉可能に枢着した例を示す。図示例では、台部材４の筒部35上端一部に、蓋体周壁38の下端一部を枢着させている。その他の構成は図１の実施例と同様である。
【００３２】
【発明の効果】
以上説明した如く、本発明の足踏み式塗布容器は、既述構成としたことにより、収納液塗布時以外に、足を乗せるだけで足裏のマッサージを行えるものであり、しかも噴出ヘッド３への誇り等の付着を防止しつつ足裏のマッサージを行えるものであり、噴出口７部分を常時衛生的に維持できるものである。
【００３５】
また、キャップ5a自体が安定的に維持され、安心してマッサージすることができるとともに、台部材４へのキャップ5aの取付けを容易に行える利点がある。
【図面の簡単な説明】
【図１】本発明の一実施例を示す半断面図である。
【図２】同実施例のキャップの平面図である。
【図３】同実施例の底板部材の縦断面図である。
【図４】同実施例の底板部材の平面図である。
【図５】同実施例の蓋板部材の縦断面図である。
【図６】同実施例の蓋板部材の平面図である。
【図７】同実施例の足踏面形成部材の縦断面図である。
【図８】同実施例の足踏面形成部材の底面図である。
【図９】同実施例の台部材の半断面図である。
【図１０】同実施例の底面図である。
【図１１】本発明の他の実施例を示す半断面図である。
【図１２】同実施例の開蓋状態のキャップを示す縦断面図である。
【図１３】同実施例の開蓋状態のキャップを示す平面図である。
【図１４】本発明の更に他の実施例を示す判断面図である。
【符号の説明】
２…容器体，３…噴出ヘッド，４…台部材，５，5a…キャップ，
６…ステム，７…噴出口，８…突部，11…口部，32…係止筒，
33…係合部，34…頂板，35…筒部，37…台部材周壁，38…キャップ周壁，
39…キャップ頂壁，40…固定筒，ａ…足踏面，ｂ…液流路
【図１】
0004236026.tif 000002
【図２】
0004236026.tif 000003
【図３】
0004236026.tif 000004
【図４】
0004236026.tif 000005
【図５】
0004236026.tif 000006
【図６】
0004236026.tif 000007
【図７】
0004236026.tif 000008
【図８】
0004236026.tif 000009
【図９】
0004236026.tif 000010
【図１０】
0004236026.tif 000011
【図１１】
0004236026.tif 000012
【図１２】
0004236026.tif 000013
【図１３】
0004236026.tif 000014
【図１４】
0004236026.tif 000015